(57)【要約】【課題】消費電力を抑え、光学特性に悪影響及ぼさずに光学素子に付着する塵埃を除去し、取得される画像の画像品質を向上させることを可能にする。【解決手段】光線入射経路に位置する矩形平板状の光学素子１の表面に付着する塵埃を除去するための塵埃除去装置において、光学素子１の矩形平面に、該矩形平面の中心線に対して線対称に１対の圧電素子２ａ，２ｂをそれぞれ配置して固着する。この１対の圧電素子２ａ，２ｂへ交流電圧を印加して光学素子１を平面に垂直な方向に弾性振動させ、光学素子１の表面に付着した塵埃を除去する。【選択図】図１
2007228246.tif 000002
【特許請求の範囲】
【請求項１】
光線入射経路に位置する矩形平板状の光透過部材の表面に付着する塵埃を除去するための塵埃除去装置において、
前記光透過部材の矩形平面に、該矩形平面の中心線に対して線対称にそれぞれ配置されて固着される少なくとも１対の電気機械エネルギ変換素子と、
前記少なくとも１対の電気機械エネルギ変換素子によって前記光透過部材に前記中心線と垂直な方向に発生される定在波振動の節が、ゼロ本を含む偶数本となる周波数の交流電圧を、前記少なくとも１対の電気機械エネルギ変換素子へ印加して前記光透過部材を平面に垂直な方向に弾性振動させ、前記光透過部材の表面に付着した塵埃を除去する交流電圧印加手段と
を有することを特徴とする塵埃除去装置。
【請求項２】
前記電気機械エネルギ変換素子は、加振力の発生方向が異なる複数の領域に区画され、対となる電気機械エネルギ変換素子における前記領域の数は同数となることを特徴とする請求項１記載の塵埃除去装置。
【請求項３】
前記電気機械エネルギ変換素子はそれぞれ平板状であるとともに、平面方向に沿って並んだ複数の分極領域をそれぞれ備えることを特徴とする請求項１記載の塵埃除去装置。
【請求項４】
前記複数の分極領域はそれぞれ、平面に垂直な方向に分極するとともに、隣り合った分極領域どうしは分極方向が逆となるように分極することを特徴とする請求項３記載の塵埃除去装置。
【請求項５】
前記電気機械エネルギ変換素子における各分極領域は、対となる電気機械エネルギ変換素子における対応の分極領域と分極方向が同じであることを特徴とする請求項３または請求項４に記載の塵埃除去装置。
【請求項６】
前記定在波振動の節が前記光透過部材の光線入射経路と一致しないように、前記光透過部材の光線入射経路を設定することを特徴とする請求項１記載の塵埃除去装置。
【請求項７】
前記交流電圧印加手段は、前記少なくとも１対の電気機械エネルギ変換素子によって前記光透過部材に前記中心線と垂直な方向に発生される定在波振動の節が、ゼロ本を含む偶数本となるような、周波数の異なる複数の交流電圧を順次印加することを特徴とする請求項１記載の塵埃除去装置。
【請求項８】
光線入射経路に位置する矩形平板状の光透過部材の矩形平面に、該矩形平面の中心線に対して線対称にそれぞれ配置されて固着される少なくとも１対の電気機械エネルギ変換素子を備え、前記光透過部材の表面に付着する塵埃を除去するための塵埃除去装置の駆動方法において、
前記少なくとも１対の電気機械エネルギ変換素子によって前記光透過部材に前記中心線と垂直な方向に発生される定在波振動の節が、ゼロ本を含む偶数本となる周波数の交流電圧を、前記少なくとも１対の電気機械エネルギ変換素子へ印加して前記光透過部材を平面に垂直な方向に弾性振動させることを特徴とする塵埃除去装置の駆動方法。
【発明の詳細な説明】
【技術分野】
【０００１】
本発明は、塵埃除去装置および駆動方法に関し、特に、光線入射経路に位置する矩形平板状の光透過部材の表面に付着する塵埃を除去するための塵埃除去装置および該塵埃除去装置に適用される駆動方法に関する。
【０００２】
この塵埃除去装置は、例えば、コピー機、ファクシミリ装置、ドキュメントスキャナなどの原稿読取装置や、ビデオカメラ、スチルカメラなどの撮像装置に装着されるものである。
【背景技術】
【０００３】
近年の撮像装置においては、光学センサの分解能の向上に伴って、光学系に付着するゴミが撮影画像に影響を及ぼすようになってきた。特に、ビデオカメラ、スチルカメラの撮像素子の分解能がめざましく向上しているため、撮影画像に埃が写り込むことがある。すなわち、撮像素子の近くに配置されている赤外線カットフィルタ、光学ローパスフィルタなどに、外部からの埃や、内部の機械的な摺擦面で生ずる摩耗粉などが付着すると、撮像素子面での画像のぼけが少ないため、撮影画像に埃が写り込むことになる。
【０００４】
一方、コピー装置、ファクシミリ装置、ドキュメントスキャナなどの撮像部では、ラインセンサに近接させた平面原稿を、ラインセンサの長さ方向（主走査方向）への繰り返し走査と、原稿とラインセンサとの副走査方向への相対移動とによって読み取っている。ここで、ラインセンサへの光線入射部に埃が付着すると、この埃が読み取り画像に写り込んでしまう。特に、ラインセンサ側に埃が付着すると、１つの埃が副走査方向へ連続する線画像となって写り込み、画像の品質を大きく損ねてしまうという問題がある。
【０００５】
これらの塵埃を人手によって拭き取ることで画像品位は回復するが、埃の付着は、撮影や画像読み取りを終了した後に気付くものである。既に撮影や画像読み取りを終了して得られた埃が映り込んだ画像については、電子データ形態であれば、画像加工ソフトウェアによって修正することが可能であるが、煩わしい修正作業を行う必要がある。また、紙メディアに出力されてしまっている場合には、紙メディアの無駄な消費となってしまう。
【０００６】
そこで例えば、特許文献１，２に示されるような、振動によって塵を取り除く防塵機構を備えたカメラや、特許文献３，４に示されるような、振動を与えることによって塵を画像読取部から移動させる画像読取装置が開示されている。
【０００７】
図１１は、特許文献３に開示されている画像読取装置の斜視図である。
【０００８】
図１１においてリーダ部２００は、原稿に記録された画像情報を光学的に読み取り、光電変換して画像データとして取得するものである。リーダ部２００は、ＡＤＦ原稿用プラテンガラス（以下「ＡＤＦ用プラテン」という）２０１、ブック原稿用プラテンガラス２０２、ランプ２０３とミラー２０４を有するスキャナユニット２０９、ミラー２０５、ミラー２０６、レンズ２０７、ＣＣＤセンサ（図示せず）等を有している。
【０００９】
リーダ部２００は、不図示の自動原稿送り装置（ＡＤＦ）から搬送されてくる原稿画像を読み取る場合は、スキャナユニット２０９をＡＤＦ用プラテン２０１の下に移動して停止させ、原稿がＡＤＦ用プラテン２０１上を搬送されている間に画像情報を読み取る。
【００１０】
２１０は圧電素子であり、ＡＤＦ用プラテン２０１の下面に取り付けられる。そして、圧電素子２１０には不図示の回路から高周波信号が印加され、この結果、ＡＤＦ用プラテン２０１に曲げ振動が発生する。ＡＤＦ用プラテン２０１に塵埃が付着している場合、この曲げ振動によって塵埃が剥離され、塵埃が画像として写ることが防止される。
【００１１】
ＡＤＦ用プラテン２０１は、その周囲に配置された弾性素材からなる支持部材を介してリーダ２００の筐体に支持されており、ＡＤＦ用プラテン２０１、圧電素子２１０、支持部材によってリーダ２００における塵埃除去装置を構成している。
【００１２】
図１２は、圧電素子２１０によってＡＤＦ用プラテン２０１に発生される曲げ振動を示す図である。この曲げ振動は、複数次の定在波となっており、図１２（Ｂ）は第１の振動モードを、図１２（Ｃ）は第２の振動モードを示す。第１の振動モードは、８本の節を持つ曲げ７次モードであり、第２の振動モードは、７本の節を持つ曲げ６次の振動モードである。第１および第２の振動モードは、図１２（Ｄ）に示すように、Ｙ方向については、節のない一様な振動変位分布をもっている。
【００１３】
圧電素子２１０からＡＤＦ用プラテン２０１に対して、少なくとも第１の振動モードと第２の振動モードとを順次加振し、これによって、ＡＤＦ用プラテン２０１の各部に振動が発生する。しかも、第１の振動モードと第２の振動モードとでは節の位置が互いにずれているので、ＡＤＦ用プラテン２０１上のどの位置においても隈なく振動が発生し、これによって、ＡＤＦ用プラテン２０１上から塵埃が剥離し、移動させられる。
【特許文献１】特開２００２−２０４３７９号公報
【特許文献２】特開２００３−３３３３９１号公報
【特許文献３】特開２００３−２８０１１０号公報
【特許文献４】特開２００４−０１２４７４号公報
【発明の開示】
【発明が解決しようとする課題】
【００１４】
しかしながら、図１１に示す画像読取装置に含まれる従来の塵埃除去装置においては、以下に述べるような問題があった。
【００１５】
ＡＤＦ用プラテン２０１、圧電素子２１０等からなる従来の塵埃除去装置では、図１２（Ａ）に示すように、ＡＤＦ用プラテン２０１のＸ方向の長さが大きすぎて、画像読取装置の大型化が避けられなかった。すなわち、スキャナユニット２０９が原稿を読み取るためには、圧電素子２１０をスキャナユニット２０９の上部に配置することができず、そのため、圧電素子２１０をスキャナユニット２０９からＸ方向に少しずらして配置するようにしていた。これにより、ＡＤＦ用プラテン２０１のＸ方向の長さが、スキャナユニット２０９のＸ方向の長さよりも、少なくとも圧電素子２１０の大きさ分だけ大きくなっていた。
【００１６】
こうした画像読取装置の大型化を避けるべく、圧電素子の配置位置をＹ方向にずらすことも考えられる。
【００１７】
図１３および図１４は、圧電素子の配置位置をＹ方向にずらしてＡＤＦ用プラテンのＸ方向の長さを短縮した画像読取装置の塵埃除去装置を示す図であり、図１３および図１４は、互いに異なる振動モードの曲げ振動を示す。
【００１８】
図１３（Ａ）および図１４（Ａ）に示す塵埃除去装置では、ＡＤＦ用プラテン３０１のＹ方向の長さを拡大し、圧電素子３１０を、スキャナユニット３０９に対してＸ方向では重なり、Ｙ方向では重ならない位置に配置する。これによって、画像読取装置のＸ方向の大型化は避けられる。
【００１９】
ところでこの場合、Ｘ方向の振動の波長に比較して、ＡＤＦ用プラテン３０１がＹ方向に十分な長さをもつ。そのため、ＡＤＦ用プラテン３０１がＹ方向に対して曲げ振動を発生することがあり得る。すなわち、図１３（Ｃ）に示すように、Ｙ方向に対して曲げ振動を発生しない場合と、図１４（Ｃ）に示すように、Ｙ方向に対して曲げ振動を発生する場合とがあり得る。Ｙ方向に対する曲げ振動の発生は、圧電素子３１０に印加される交流電圧の周波数と関連する。
【００２０】
図１５は、圧電素子３１０に印加される交流電圧の周波数と、ＡＤＦ用プラテン３０１のＹ方向に対して発生される曲げ振動との関係を示すグラフであり、横軸は、圧電素子３１０に印加される交流電圧の周波数を、縦軸は、ＡＤＦ用プラテン３０１のＹ方向に対して発生する曲げ振動の振幅を示す。
【００２１】
図１５においてＭ０は、塵埃除去に使用する振動モードを表し、図１３（Ｃ）に示すように、ＡＤＦ用プラテン３０１のＹ方向に対して曲げ振動を発生しない場合である。Ｍ１は、ＡＤＦ用プラテン３０１のＹ方向に節が１本発生する振動モードを表し、図１４（Ｃ）に示す曲げ振動に相当する。Ｍ２は、ＡＤＦ用プラテン３０１のＹ方向に節が２本発生する振動モード、Ｍ３は、ＡＤＦ用プラテン３０１のＹ方向に節が３本発生する振動モードを表す。
【００２２】
なお、振動モードＭ１に関しては、図１５に示すように、振動モードＭ０と最も周波数が接近していて、応答振幅曲線がオーバーラップしているため、このオーバーラップしていう周波数帯域では、振動モードＭ０と振動モードＭ１とが同時に発生する。これらの２つの振動モードが同時に発生すると、各振動モードでの振幅が減少するほか、２つの振動モードの振幅が重畳された振動形状となるために、振動変位を打ち消しあって十分な振動振幅を得られない事態が発生する。
【００２３】
さらに振動モードＭ１では、図１４（Ｃ）に示すように、ＡＤＦ用プラテン３０１のＹ方向の中央部に節が発生するために、該中央部付近での塵埃の除去率が低くなってしまう。したがって、こうした塵埃除去装置をデジタルスチルカメラの撮像素子近傍のフィルタなどに搭載した場合には、ユーザが視認しやすく、主要な被写体が結像される可能性が高い中央部に塵埃を残すこととなり、塵埃除去効果を大幅に損ねることとなる。
【００２４】
また、圧電素子３１０に印加する交流電圧の振幅を大きくすることで塵埃除去効果を上げることは可能であるが、この場合、高電圧を加えられた圧電素子３１０が発熱し、光学特性に影響を及ぼす場合がある。特にデジタルスチルカメラに使用された塵埃除去装置では、圧電素子と撮像素子との距離が近く、撮像素子に悪影響を及ぼしやすい。
【００２５】
本発明はこのような問題点に鑑みてなされたものであって、低消費電力であり、光学特性に悪影響及ぼさずに光学素子に付着する塵埃を除去し、取得される画像の画像品質を向上させることを可能にした塵埃除去装置および塵埃除去装置の駆動方法を提供することを目的とする。
【課題を解決するための手段】
【００２６】
上記目的を達成するために、請求項１記載の発明によれば、光線入射経路に位置する矩形平板状の光透過部材の表面に付着する塵埃を除去するための塵埃除去装置において、前記光透過部材の矩形平面に、該矩形平面の中心線に対して線対称にそれぞれ配置されて固着される少なくとも１対の電気機械エネルギ変換素子と、前記少なくとも１対の電気機械エネルギ変換素子によって前記光透過部材に前記中心線と垂直な方向に発生される定在波振動の節が、ゼロ本を含む偶数本となる周波数の交流電圧を、前記少なくとも１対の電気機械エネルギ変換素子へ印加して前記光透過部材を平面に垂直な方向に弾性振動させ、前記光透過部材の表面に付着した塵埃を除去する交流電圧印加手段とを有することを特徴とする塵埃除去装置が提供される。
【００２７】
また、上記目的を達成するために、請求項８記載の発明によれば、光線入射経路に位置する矩形平板状の光透過部材の矩形平面に、該矩形平面の中心線に対して線対称にそれぞれ配置されて固着される少なくとも１対の電気機械エネルギ変換素子を備え、前記光透過部材の表面に付着する塵埃を除去するための塵埃除去装置の駆動方法において、前記少なくとも１対の電気機械エネルギ変換素子によって前記光透過部材に前記中心線と垂直な方向に発生される定在波振動の節が、ゼロ本を含む偶数本となる周波数の交流電圧を、前記少なくとも１対の電気機械エネルギ変換素子へ印加して前記光透過部材を平面に垂直な方向に弾性振動させることを特徴とする塵埃除去装置の駆動方法が提供される。
【発明の効果】
【００２８】
本発明によれば、光線入射経路に位置する矩形平板状の光透過部材の表面に付着する塵埃を除去するための塵埃除去装置において、前記光透過部材の矩形平面に、該矩形平面の中心線に対して線対称にそれぞれ配置されて固着される少なくとも１対の電気機械エネルギ変換素子と、前記少なくとも１対の電気機械エネルギ変換素子によって前記光透過部材に前記中心線と垂直な方向に発生される定在波振動の節が、ゼロ本を含む偶数本となる周波数の交流電圧を、前記少なくとも１対の電気機械エネルギ変換素子へ印加して前記光透過部材を平面に垂直な方向に弾性振動させ、前記光透過部材の表面に付着した塵埃を除去する交流電圧印加手段とを設ける。
【００２９】
交流電圧印加手段の出力する交流電圧の周波数が複数あり、これらが近接している場合、不要な振動モードの振動が発生する。本発明では、この発生を抑えることにより、光透過部材の形状によらず、除去効果が高い塵埃除去装置を提供できる。
【００３０】
また、除去効果を維持するために高電圧を必要としないため、消費エネルギを低減し、発熱による光学特性の劣化を押さえ、取得される画像品質を向上させることが可能となる。
【発明を実施するための最良の形態】
【００３１】
以下、本発明を実施するための最良の形態について、図面を参照して説明する。
【００３２】
〔第１の実施の形態〕
図１は、本発明の第１の実施の形態に係る塵埃除去装置の構成を示す平面図、および該塵埃除去装置に発生する振動モードの変位分布を示す図である。
【００３３】
本実施の形態における塵埃除去装置は、コピー機のリーダ部に装着されるものである。この塵埃除去装置では、矩形状のガラス製の光学素子１の裏面に圧電素子２ａ、２ｂを接合して振動体を形成する。この光学素子１は、図１１に示したＡＤＦ原稿用プラテンガラス２０１に相当する。光学素子１の下面には、スキャナユニット９が配置される。
【００３４】
この塵埃除去装置では、図１（Ｂ）に示すように、５つの節を持つ曲げ振動モードである第１の振動モード４１と、６つの節を持つ第２の振動モード４２とを発生させる。したがって、光学素子１のＸ方向（光学素子１およびスキャナユニット９の長さ方向）におけるどの位置においても、光学素子１上に光学素子１面と垂直な方向の振動が発生し、光学素子１に付着した塵埃が剥離し、光学素子１上から移動させることができる。ただし、これは、光学素子１のＹ方向（光学素子１およびスキャナユニット９の長さ方向に対して垂直で、光学素子１の平面に平行な方向）における特定な位置において得られる効果である。
【００３５】
図２は、コピー機のリーダ部８に装着された塵埃除去装置を示す斜視図である。
【００３６】
光学素子１の下面には、該光学素子１の長さとほぼ同じ長さのスキャナユニット９が配置される。そして、光学素子１上を搬送される原稿からの反射光の光束が、光学素子１を透過してスキャナユニット９内の光学センサに結像され、これによって、原稿の画像情報が画像データとして読み取られる。
【００３７】
スキャナユニット９は、上面からみると図１（Ａ）に示すように、Ｘ方向およびＹ方向ともに光学素子１の中央に位置するように配置される。圧電素子２ａ、２ｂは、スキャナユニット９の光学素子１への投影位置を挟んで対をなすように配置される。すなわち、圧電素子２ａ、２ｂは、スキャナユニット９の光学素子１への投影形状の長さ方向に延びる中心線に対して対称となるように配置される。このように圧電素子２ａ、２ｂを上記投影位置を挟んで配置することによって、光学素子１の長さをスキャナユニット９の長さとほぼ同じ長さにすることができる。
【００３８】
１対の圧電素子２ａ、２ｂには、駆動回路１３から同位相の交流電圧が印加される。駆動回路１３では、第１の振動モードの共振周波数近傍で交流電圧の周波数を掃引し、次に第２の振動モードの共振周波数近傍で交流電圧の周波数を掃引する。こうすることで、各振動モードの振動振幅が最大となる共振状態を得ることができる。
【００３９】
図３は、圧電素子２ａ、２ｂに駆動回路１３から交流電圧が印加されたときに光学素子１に発生する振動の周波数応答曲線を示すグラフであり、横軸は印加交流電圧の周波数、縦軸は光学素子１に発生する振動の振幅を表している。また、図４は、図３に示す各周波数応答曲線Ｍ０〜Ｍ３に対応する振動モードにおける光学素子１での節位置を示す平面図である。なおここでは、第１の振動モード４１を例に挙げており、周波数応答曲線Ｍ０〜Ｍ３のいずれに対応する振動モードでも、図４（Ｅ）に示すように、光学素子１のＸ方向には節が５つ存在する。
【００４０】
図３における周波数応答曲線Ｍ０は、図４（Ａ）、（Ｆ）に示すように、光学素子１のＹ方向に節が生じない振動モードに対応する。
【００４１】
図３における周波数応答曲線Ｍ１は、図４（Ｂ）、（Ｆ）に示すように、光学素子１のＹ方向に節が１つ生じる振動モードに対応する。この振動モードでは、圧電素子２ａ、２ｂがそれぞれ固着された光学素子１のＹ方向の２つの位置で、１つの節を挟んでその曲げ変形が逆位相となる。このため、圧電素子２ａ、２ｂでそれぞれ発生する振動による光学素子１の応答は正負で相殺され、応答は実質ゼロとなる。
【００４２】
図３における周波数応答曲線Ｍ２は、図４（Ｃ）、（Ｆ）に示すように、光学素子１のＹ方向に節が２つ生じる振動モードに対応する。この振動モードでは、圧電素子２ａ、２ｂがそれぞれ固着された光学素子１のＹ方向の２つの位置で、同位相の変形を生ずるため、圧電素子２ａ、２ｂでそれぞれ発生する振動によって光学素子１が加振される。
【００４３】
図３における周波数応答曲線Ｍ３は、図４（Ｄ）、（Ｆ）に示すように、光学素子１のＹ方向に節が３つ生じる振動モードに対応する。この振動モードでは、周波数応答曲線Ｍ１の場合と同様に、圧電素子２ａ、２ｂがそれぞれ固着された光学素子１のＹ方向の２つの位置で、その曲げ変形が逆位相となる。このため、圧電素子２ａ、２ｂでそれぞれ発生する振動による光学素子１の応答は正負で相殺され、応答は実質ゼロとなる。
【００４４】
上述したような周波数応答曲線と光学素子１のＹ方向での振動モードとの関係に着目して、本実施の形態では、駆動回路１３から圧電素子２ａ、２ｂに印加される交流電圧の周波数を、周波数応答曲線Ｍ０または周波数応答曲線Ｍ２が得られる周波数に設定する。なお、光学素子１のＹ方向に、０を含む偶数個の節が発生する振動モードであれば、上記の振動モードに限定されるものではない。
【００４５】
光学センサを内蔵するスキャナユニット９は、光学素子１のＸ方向に延びたＹ方向の中央線の真下に位置している。一方、光学素子１のＹ方向に奇数個の節が発生する振動モードでは、光学素子１のＹ方向の中央線付近に振動の節がくるので、光学素子１に付着した塵埃を除去できない。また、振動の節部には周囲の塵埃が引き寄せられる。したがって、塵埃が画像の中央部に写ってしまう。そのため、光学素子１のＹ方向に奇数個の節が発生する振動モードによる光学素子１への加振は不都合である。これに対して、光学素子１のＹ方向に０を含む偶数個の節が発生する振動モードでは、光学素子１のＹ方向の中央線付近に振動の腹がくるので、振幅の大きい振動によって、光学素子１に付着した塵埃を除去できる。
【００４６】
また、隣り合った周波数応答曲線に対応する振動モードによる光学素子１への加振を行わないので、不要な振動モードによる加振が回避できる。これにより、振動変位を打ち消しあって十分な振動振幅を得られない事態の発生を防止でき、駆動効率の低下を防止できる。
【００４７】
〔第２の実施の形態〕
次に、本発明の第２の実施の形態を説明する。
【００４８】
図５は、第２の実施の形態における塵埃除去装置の構成を示す分解斜視図である。
【００４９】
本実施の形態における塵埃除去装置は、デジタルスチルカメラの撮像素子の前面に配置された光学フィルタに付着する塵埃を除去するためのものである。
【００５０】
図５において、矩形状の光学フィルタ２１の上下端近傍に端部に沿って圧電素子群２２ａ、２２ｂが配置される。圧電素子群２２ａ、２２ｂは複数の圧電素子から構成され、各圧電素子は光学フィルタ２１にそれぞれ接着され、駆動回路２３に電気的にそれぞれ接続される。
【００５１】
撮像素子パッケージ２４は、撮像素子部２４ａをカバーガラス２４ｂで封止した構造となっている。矩形枠状の支持部材２５はゴムなどの弾性材で構成され、光学フィルタ２１と撮像素子パッケージ２４との間に配置され、粘着剤によってそれらに固定される。なお、光学フィルタ２１は、支持部材２５を介して撮像素子パッケージ２４に振動可能な状態で支持される。支持部材２５によって光学フィルタ２１と撮像素子パッケージ２４との間に密閉空間が形成されるので、カバーガラス２４ｂ表面および光学フィルタ２１の裏面（撮像素子パッケージ２４側）には塵埃が付着しない。
【００５２】
図６は、駆動回路２３によって光学フィルタ２１に発生される振動の振動モードと圧電素子群２２ａ、２２ｂの各圧電素子２２ａ−１〜２２ａ−４、２２ｂ−１〜２２ｂ−４の配置との関係を示す図である。
【００５３】
圧電素子群２２ａは圧電素子２２ａ−１〜２２ａ−４で構成され、圧電素子群２２ｂは圧電素子２２ｂ−１〜２２ｂ−４で構成されるものとする。また、駆動回路２３は、光学フィルタ２１に対して、図６（Ｃ）に示すように、曲げ６次の第１の振動モードを発生させるとともに、図６（Ｂ）に示すように、曲げ５次の第２の振動モードを発生させるものとする。こうした第１および第２の振動モードの振動が光学フィルタ２１に発生することによって、光学フィルタ２１のＸ方向（図６の左右方向）におけるどの位置においても、光学フィルタ２１上に光学フィルタ２１面と垂直な方向の振動が発生する。これによって、光学フィルタ２１に付着した塵埃が剥離し、光学フィルタ２１上から移動させることができる。ただし、これは、光学フィルタ２１のＹ方向（図６の上下方向）における特定な位置において得られる効果である。
【００５４】
そこで、駆動回路２３は、光学フィルタ２１に第１の振動モードを発生させるときは、圧電素子２２ａ?１，２２ａ?４，２２ｂ?１，２２ｂ?４に同位相の交流電圧を印加し、かつ、圧電素子２２ａ?２，２２ａ?３、２２ｂ?２，２２ｂ?３に逆位相の交流電圧を印加する。そして、光学フィルタ２１に発生する振動の振動数が、第１の振動モードの固有振動数近傍に分布するように、印加交流電圧の周波数を掃引する。
【００５５】
また、駆動回路２３は、光学フィルタ２１に第２の振動モードを発生させるときは、圧電素子２２ａ?１，２２ａ?３，２２ｂ?１，２２ｂ?３に同位相の交流電圧を印加し、かつ、圧電素子２２ａ?２，２２ａ?４、２２ｂ?２，２２ｂ?４に逆位相の交流電圧を印加する。これにより、光学フィルタ２１のＸ方向の両端（図６の左右端）で振動変位が逆方向となる曲げ振動が発生する。そして、光学フィルタ２１に発生する振動の振動数が、第２の振動モードの固有振動数近傍に分布するように、印加交流電圧の周波数を掃引する。
【００５６】
第１および第２の振動モードのうちのどちらの振動モードを発生させる場合でも、圧電素子群２２ａ、２２ｂの両群間で印加交流電圧の位相の配列が等しいため、両振動モードで光学フィルタ２１に発生する振動の位相が等しい。そのため、光学フィルタ２１のＹ方向（図６の上下方向）において奇数の節が発生する振動モードは存在せず、印加交流電圧の周波数掃引時にその応答は現れない。
【００５７】
以上のように第２の実施の形態では、２つの圧電素子群２２ａ、２２ｂにそれぞれ含まれる複数の圧電素子へ印加される交流電圧の位相を、２群間でその配列が等しくなるようにした。これにより、光学フィルタ２１のＹ方向（図６の上下方向）において奇数の節をもつ振動モードの発生を抑止し、所望の振動モードによる光学フィルタ２１への効果的な加振を実現できる。
【００５８】
なお、光学フィルタ２１のＹ方向（図６の上下方向）において奇数の節をもつ振動モードでは、光学フィルタ２１のＹ方向の中央部に節が位置し、その中央部での塵埃を除去できない。また、振動の節部は周囲の塵埃を引き寄せる働きをするため、その中央部では塵埃が周辺から集まってくる。したがって、光学フィルタ２１のＹ方向において奇数の節をもつ振動モードの発生は抑止する必要がある。
【００５９】
一方、光学フィルタ２１のＹ方向において偶数の節をもつ振動モードでは、光学フィルタ２１のＹ方向の中央部に振動の腹が位置して振幅の大きな振動が発生し、該中央部では塵埃除去が充分に行われる。一方、光学フィルタ２１のＹ方向の中央部は撮像素子中央部に一致し、該撮像素子中央部は主要な被写体が位置する可能性が高く、ユーザが視認しやすい位置である。したがって、本実施の形態の塵埃除去装置を備えることによって、デジタルスチルカメラは、より高画質な撮影画像を得ることが可能となる。
【００６０】
〔第３の実施の形態〕
次に、本発明の第３の実施の形態を説明する。
【００６１】
図７は、第３の実施の形態における塵埃除去装置の構成を示す平面図である。
【００６２】
第３の実施の形態の構成は、基本的に第２の実施の形態の構成と同じであるので、第３の実施の形態の説明においては、第２の実施の形態の構成を流用し、異なる部分だけを説明する。
【００６３】
図７において圧電素子３１、３２は、それぞれ矩形状の圧電素子であり、光学フィルタ２１の上下端にそれぞれ接合される。圧電素子３１、３２には、光学フィルタ２１との接合面に不図示の共通電極がそれぞれ設けられ、これらの共通電極は、駆動回路３３のグラウンド（ＧＮＤ）端子に電気的に接続される。
【００６４】
また、圧電素子３１には、光学フィルタ２１と反対側に、６つの電極３１ａ〜３１ｆが設けられ、これらの電極３１ａ〜３１ｆは、駆動回路３３の駆動電圧（Ｖｄｒｖ）端子に電気的に接続される。電極３１ａ〜３１ｆと共通電極との各間には、図７に（＋）、（−）記号で示すように厚み方向に分極が施される。分極は、その方向が隣接電極間で逆になるように設定される。同様に、圧電素子３２にも、光学フィルタ２１と反対側に、６つの電極３２ａ〜３２ｆが設けられ、これらの電極３２ａ〜３２ｆは、駆動回路３３の駆動電圧（Ｖｄｒｖ）端子に電気的に接続される。電極３２ａ〜３２ｆと共通電極との各間には、図７に（＋）、（−）記号で示すように厚み方向に分極が施される。電極３２ａ〜３２ｆの各分極方向は、対向する対の圧電素子３１の６つの電極３１ａ〜３１ｆにおける各分極方向と同じになるように設定される。
【００６５】
図８は、駆動回路３３からの交流電圧の印加によって光学フィルタ２１に発生する振動を示す図である。
【００６６】
駆動回路３３からは、圧電素子３１の電極３１ａ〜３１ｆおよび圧電素子３２の電極３２ａ〜３２ｆに対して同じ位相の駆動電圧が印加される。これによって、光学フィルタ２１は、図８（Ｂ）に示すような、左右方向に節が７つ生ずる曲げ６次の振動モードで、平面に対して垂直方向に振動する。これによって、光学フィルタ２１に付着した塵埃が剥離される。
【００６７】
なお、上記のような圧電素子３１、３２からなる圧電素子対を光学フィルタ２１に複数配置し、各圧電素子対が発生する振動における振動モードの次数を異ならしめることによって、付着した塵埃の剥離漏れのない振動を光学フィルタ２１に発生するようにしてもよい。
【００６８】
〔第４の実施の形態〕
次に、本発明の第４の実施の形態を説明する。
【００６９】
図９は、第４の実施の形態における塵埃除去装置の構成を示す平面図である。
【００７０】
第４の実施の形態の構成は、基本的に第３の実施の形態の構成と同じであるので、第４の実施の形態の説明においては、第３の実施の形態の構成を流用し、異なる部分だけを説明する。
【００７１】
図９において圧電素子４４、４５は、それぞれ矩形状の圧電素子であり、光学フィルタ２１の上下端にそれぞれ接合される。圧電素子４４、４５には、光学フィルタ２１との接合面に不図示の共通電極がそれぞれ設けられ、これらの共通電極は、駆動回路４３のグラウンド（ＧＮＤ）端子に電気的に接続される。
【００７２】
また、圧電素子４４には、光学フィルタ２１と反対側に、６つの電極４６ａ〜４６ｆおよび５つの電極４７ａ〜４７ｅが互いに並行して設けられる。６つの電極４６ａ〜４６ｆは、駆動回路４３の第１の駆動電圧（Ｖｄｒｖ１）端子に電気的に接続される。電極４６ａ〜４６ｆと共通電極との各間には、図９に（＋）、（−）記号で示すように厚み方向に分極が施される。分極は、その方向が隣接電極間で逆になるように設定される。一方、５つの電極４７ａ〜４７ｅは、駆動回路４３の第２の駆動電圧（Ｖｄｒｖ２）端子に電気的に接続される。電極４７ａ〜４７ｅと共通電極との各間には、図９に（＋）、（−）記号で示すように厚み方向に分極が施される。分極は、その方向が隣接電極間で逆になるように設定される。
【００７３】
同様に、圧電素子４５にも、光学フィルタ２１と反対側に、６つの電極４８ａ〜４８ｆおよび５つの電極４９ａ〜４９ｅが互いに並行して設けられる。６つの電極４８ａ〜４８ｆは、駆動回路４３の第１の駆動電圧（Ｖｄｒｖ１）端子に電気的に接続される。電極４８ａ〜４８ｆと共通電極との各間には、図９に（＋）、（−）記号で示すように厚み方向に分極が施される。電極４８ａ〜４８ｆの各分極方向は、対向する対の圧電素子４４の６つの電極４６ａ〜４６ｆにおける各分極方向と同じになるように設定される。一方、５つの電極４９ａ〜４９ｅは、駆動回路４３の第２の駆動電圧（Ｖｄｒｖ２）端子に電気的に接続される。電極４９ａ〜４９ｅと共通電極との各間には、図９に（＋）、（−）記号で示すように厚み方向に分極が施される。電極４９ａ〜４９ｅの各分極方向は、対向する対の圧電素子４４の５つの電極４７ａ〜４７ｅにおける各分極方向と同じになるように設定される。
【００７４】
図１０は、駆動回路４３からの交流電圧の印加によって光学フィルタ２１に発生する振動を示す図である。
【００７５】
駆動回路４３からは、圧電素子４４の電極４６ａ〜４６ｆおよび圧電素子４５の電極４８ａ〜４８ｆに対して第１の駆動電圧（Ｖｄｒｖ１）が印加される。駆動回路４３は、後述の第１の振動モードの共振周波数近傍で第１の駆動電圧（Ｖｄｒｖ１）の周波数を掃引する。これによって、光学フィルタ２１は、図１０（Ｂ）に示すような、左右方向に節が７つ生ずる曲げ６次の第１の振動モードで、平面に対して垂直方向に振動する。また、駆動回路４３からは、圧電素子４４の電極４７ａ〜４７ｅおよび圧電素子４５の電極４９ａ〜４９ｅに対して第２の駆動電圧（Ｖｄｒｖ２）が印加される。駆動回路４３は、後述の第２の振動モードの共振周波数近傍で第２の駆動電圧（Ｖｄｒｖ２）の周波数を掃引する。これによって、光学フィルタ２１は、図１０（Ｃ）に示すような、左右方向に節が６つ生ずる曲げ５次の第２の振動モードで、平面に対して垂直方向に振動する。
【００７６】
駆動回路４３は、各電極群に対して第１及び第２の駆動電圧（Ｖｄｒｖ１、２）の印加を順次行い、光学フィルタ２１に第１および第２の振動モードの振動を順次発生させる。これにより、光学フィルタ２１に付着した塵埃がいずれの位置においても剥離され、除去されることになる。
【００７７】
なお、第４の実施の形態では、第１の振動モードと、第２の振動モードとを相互に関係なく独立して光学フィルタ２１に発生させることができるため、第１及び第２の振動モードを同時に光学フィルタ２１に発生させてもよい。この場合、２つの振動モードでの振動加速度を足し合わせた加速度が光学フィルタ２１に発生するため、より塵埃除去能力を高めることができる。
【００７８】
また、第４の実施の形態では、光学フィルタ２１に設けられる圧電素子の数は２つであるにも拘らず、複数種類の振動モードを発生させることができるので、塵埃除去装置の部品点数が少なくて済む。また、圧電素子対を複数設ける場合に比べ、圧電素子の互いの位置決めが簡単になるなどの利点がある。
【図面の簡単な説明】
【００７９】
【図１】本発明の第１の実施の形態に係る塵埃除去装置の構成を示す平面図、および該塵埃除去装置に発生する振動モードの変位分布を示す図である。
【図２】コピー機のリーダ部に装着された塵埃除去装置を示す斜視図である。
【図３】圧電素子に駆動回路から交流電圧が印加されたときに光学素子に発生する振動の周波数応答曲線を示すグラフである。
【図４】図３に示す各周波数応答曲線に対応する振動モードにおける光学素子での節位置を示す平面図である。
【図５】第２の実施の形態における塵埃除去装置の構成を示す分解斜視図である。
【図６】駆動回路によって光学フィルタに発生される振動の振動モードと圧電素子群の各圧電素子の配置との関係を示す図である。
【図７】第３の実施の形態における塵埃除去装置の構成を示す平面図である。
【図８】駆動回路からの交流電圧の印加によって光学フィルタに発生する振動を示す図である。
【図９】第４の実施の形態における塵埃除去装置の構成を示す平面図である。
【図１０】駆動回路からの交流電圧の印加によって光学フィルタに発生する振動を示す図である。
【図１１】特許文献３に開示されている画像読取装置の斜視図である。
【図１２】圧電素子によってＡＤＦ用プラテンに発生される曲げ振動を示す図である。
【図１３】圧電素子の配置位置をＹ方向にずらしてＡＤＦ用プラテンのＸ方向の長さを短縮した画像読取装置の塵埃除去装置を示す図であり、第１の振動モードの曲げ振動を示す。
【図１４】圧電素子の配置位置をＹ方向にずらしてＡＤＦ用プラテンのＸ方向の長さを短縮した画像読取装置の塵埃除去装置を示す図であり、第２の振動モードの曲げ振動を示す。
【図１５】圧電素子に印加される交流電圧の周波数と、ＡＤＦ用プラテンのＹ方向に対して発生される曲げ振動との関係を示すグラフである。
【符号の説明】
【００８０】
１  光学素子（光透過部材）
２ａ、２ｂ  圧電素子（電気機械エネルギ変換素子）
８  リーダ部
９  スキャナユニット
１３  駆動回路（交流電圧印加手段）
２１  光学フィルタ
２２ａ、２２ｂ  圧電素子群
２２ａ−１〜２２ａ−４  圧電素子（電気機械エネルギ変換素子）
２２ｂ−１〜２２ｂ−４  圧電素子（電気機械エネルギ変換素子）
２３  駆動回路（交流電圧印加手段）
２４  撮像素子パッケージ
２４ａ  撮像素子部
２４ｂ  カバーガラス
２５  支持部材
４１  第１の振動モード
４２  第２の振動モード
【図１】
2007228246.tif 000003
【図２】
2007228246.tif 000004
【図３】
2007228246.tif 000005
【図４】
2007228246.tif 000006
【図５】
2007228246.tif 000007
【図６】
2007228246.tif 000008
【図７】
2007228246.tif 000009
【図８】
2007228246.tif 000010
【図９】
2007228246.tif 000011
【図１０】
2007228246.tif 000012
【図１１】
2007228246.tif 000013
【図１２】
2007228246.tif 000014
【図１３】
2007228246.tif 000015
【図１４】
2007228246.tif 000016
【図１５】
2007228246.tif 000017